(57)【要約】【課題】漏水や紫外線劣化の心配がなく、人工基盤上で安全に利用でき、貯水した水の濁りを防止し、更に造園の観点から美観を損ねることなく簡易にこれらを解決できる貯水槽およびそれに用いられる擬石、滝石、水質維持システムを提供する。【解決手段】立ち上がり縁部２およびこの立ち上がり縁部と連続する底面部３を有する防水層４と、この防水層の下面および外側面に設けられた発泡材層５と、から貯水槽1を構成する。また、好適例として、防水層表面に、天然石、ガラス、セラミックス等の無機材料からなる粒が固着されている。【選択図】図１
2007002600.tif 000002
【特許請求の範囲】
【請求項１】
立ち上がり縁部およびこの立ち上がり縁部と連続する底面部を有する防水層と、この防水層の下面および外側面に設けられた発泡材層と、から構成されたことを特徴とする貯水槽。
【請求項２】
防水層表面に、天然石、ガラス、セラミックス等の無機材料からなる粒が固着されていることを特徴とする請求項１に記載の貯水槽。
【請求項３】
請求項１または２に記載の貯水槽に用いられる擬石であって、表面に石の模様を持ち、中空構造またはその内部に発泡材が充填された構造を有することを特徴とする擬石。
【請求項４】
請求項１または２に記載の貯水槽に用いられる滝石であって、請求項３の擬石またはそれらを複数組み合わせた擬石組を貯水槽の立ち上がり縁部にセットするとともに、擬石または擬石組に貯水槽から引き込まれた水源を接続し、水源から水を流出させ貯水槽に落とし、貯水槽の水を撹拌させるよう構成したことを特徴とする滝石。
【請求項５】
請求項１または２に記載の貯水槽に用いられる水質維持システムであって、貯水槽の底面部に、無機材、濾過材および／または浄化材からなる粒を蓄積し、ポンプで吸水した貯水槽の水を貯水槽の底面部から湧き上がらせて、底面部に蓄積した粒を水中で撹拌させるよう構成したことを特徴とする水質維持システム。
【発明の詳細な説明】
【技術分野】
【０００１】
本発明は、屋上などの人工基盤に池や小川などの水辺を造作するのに好適に使用できる貯水槽およびそれに用いられる擬石、滝石、水質維持システムに関するものである。
【背景技術】
【０００２】
従来屋上などの人工基盤に池や小川などの水辺を造作する場合、盛土して立ち上がり部（池の縁）を作り、窪み部分を防水シート敷いて防水を施すか、樹脂製の成型池を設置する方法が一般的に行われている。また、近年都市部における緑地の減少やヒートアイランド現象の緩和を目的として、屋上やバルコニーなどの人工基盤上に造園工事を施す需要が増加しており、それに伴い池や小川などの水辺を設けるケースが増加している。（例えば、特許文献１参照）
【特許文献１】特開２００５−６０９５８号公報
【発明の開示】
【発明が解決しようとする課題】
【０００３】
しかしながら、従来の水辺造成方法は地上での利用を前提としてものであるため、屋上などの人工基盤（以下人工基盤）で使用するには不都合な点があった。
【０００４】
例えば、図５に示すように人工基盤５１上に成型池５２を使用して水辺を造成した場合、成型池５２は一般に樹脂製であるが十分な厚みで丈夫に成型されているため、キズや劣化による漏水の心配はほとんど無い。しかし、これらは地上で埋没設置することを前提に成型されているため、一般的に縁の高さが４０ｃｍ程あり、穴の掘れない人工基盤５１上に設置しようとすると高い縁が不自然に突出してしまい美観を損ねる。また、縁の高さが４０ｃｍもあると雨が降ると４００ｋｇ／ｍ２もの水が溜まることになるが、一般的に屋上の耐荷重は１８０〜３００ｋｇ／ｍ２程度であるため積載荷重オーバーの危険もある。
【０００５】
一方、図６に示すように人工基盤６１上に防水シート６２を使用して水辺を造成した場合、一般的に使用される防水シート６２は厚み０．５ｍｍ程度の樹脂製であるため、石などの鋭利な物で破損したり、冬場の凍結や紫外線などによる劣化の問題がある。また、平らなシート状を立体的な窪み内に敷くのは困難であり、どうしてもシワや折りたたみ部分が発生してしまい美観性が劣るという不都合がある。これを防ぐため防水シート６２の表面にモルタルを塗って防水シート保護層６４を構成するケースもあるが、下地が柔軟な防水シート６２という条件上、クラックを防ぐためには３０〜５０ｍｍ程度の厚みの防水シート保護層６４を設ける必要があることからかなりの高重量となるため、防水シート保護層６４を施せるのは構造強化した建物屋上に限られ、又、盛土６３により立ち上がり部の造成に加え、更に現場での作業が増えるため結果的にコストが高くなるという不都合がある。
【０００６】
また、前記２つの造成方法に共通する問題点として、単に水を貯水するとボウフラが発生したり浮遊性の藻が発生するため、貯水を循環させるための水中ポンプや、濾過材や浄化材を充填した袋を貯水槽底に設置するケースがあるが、これらの人工物が水辺の美観性を損ねるという不都合がある。又、せっかく水中ポンプを設置して水を循環しても効果的な水流を得ることが難しく、結果的に水を濁らせてしまうという不都合があった。
【０００７】
本発明の目的は上述した問題点を解消して、漏水や紫外線劣化の心配がなく、人工基盤上で安全に利用でき、貯水した水の濁りを防止し、更に造園の観点から美観を損ねることなく簡易にこれらを解決できる貯水槽およびそれに用いられる擬石、滝石、水質維持システムを提供しようとするものである。
【課題を解決するための手段】
【０００８】
本発明の貯水槽は、立ち上がり縁部およびこの立ち上がり縁部と連続する底面部を有する防水層と、この防水層の下面および外側面に設けられた発泡材層と、から構成されたことを特徴とするものである。
【０００９】
また、本発明の貯水槽の好適例としては、防水層表面に、天然石、ガラス、セラミックス等の無機材料からなる粒が固着されていることがある。
【００１０】
本発明の擬石は、上述した貯水槽に用いられる擬石であって、表面に石の模様を持ち、中空構造またはその内部に発泡材が充填された構造を有することを特徴とするものである。
【００１１】
本発明の滝石は、上述した貯水槽に用いられる滝石であって、請求項３の擬石またはそれらを複数組み合わせた擬石組を貯水槽の立ち上がり縁部にセットするとともに、擬石または擬石組に貯水槽から引き込まれた水源を接続し、水源から水を流出させ貯水槽に落とし、貯水槽の水を撹拌させるよう構成したことを特徴とするものである。
【００１２】
本発明の水質維持システムは、貯水槽に用いられる水質維持システムであって、貯水槽の底面部に、無機材、濾過材および／または浄化材からなる粒を蓄積し、ポンプで吸水した貯水槽の水を貯水槽の底面部から湧き上がらせて、底面部に蓄積した粒を水中で撹拌させるよう構成したことを特徴とするものである。
【発明の効果】
【００１３】
本発明では、貯水槽を、立ち上がり縁部およびこの立ち上がり縁部と連続する底面部を有する防水層と、この防水層の下面および外側面に設けられた発泡材層と、から構成し、必要に応じて、表面に石の模様を持ち、中空構造またはその内部に発泡材が充填された構造を有する擬石またはそれらを複数組み合わせた擬石組を貯水槽の立ち上がり縁部にセットするとともに、擬石または擬石組に貯水槽から引き込まれた水源を接続し、水源から水を流出させ貯水槽に落とし、貯水槽の水を撹拌させるよう構成した滝石、貯水槽の底面部に、無機材、濾過材および／または浄化材からなる粒を蓄積し、ポンプで吸水した貯水槽の水を貯水槽の底面部から湧き上がらせて、底面部に蓄積した粒を水中で撹拌させるよう構成した水質維持システムを組み合わせて用いることで、漏水や紫外線劣化の心配がなく、人工基盤上で安全に利用でき、貯水した水の濁りを防止し、更に造園の観点から美観を損ねることない例えば屋上ビオトープを簡易に造作することができる。
【発明を実施するための最良の形態】
【００１４】
図１は本発明に係る貯水槽の一例の構成を示す図である。図１に示す例において、本発明の貯水槽１は、立ち上がり縁部２およびこの立ち上がり縁部２と連続する底面部３を有する防水層４と、この防水層４の下面および外側面に設けられた発泡材層５と、から構成されている。図１に示す例は、フラットな底面部３を有する貯水槽１の基本断面図であり、池を表現する時などに利用するものである。このような構造の貯水槽１であれば、発泡材層５が人工基盤６を保護するだけでなく、人工基盤６上に細かな段差７や小石８等の凸部があっても、防水層４の下の発泡材層５が適度に潰れて凸部を吸収するため、貯水槽１を安定して設置することができ、凸部が防水層４を傷付けることもない。また、発泡材層５は芯材としての役割も果たすため、立体的な形状保持力の弱い薄い防水層４であっても立ち上がり部２（縁）を有する立体的な形状を保つことができ、軽量かつ丈夫な貯水槽１として好適に使用することができる。更に発泡材層５は断熱材としての効果も発揮することができる。
【００１５】
ここで、防水層４とは防水性能を有する素材からなる層のことを指し、例えばこの貯水槽１を紫外線や凍結による劣化の心配のない屋内等で使用する場合、ウレタン、ポリエチレン等が好適に使用でき、層の厚みは1mm程度あれば良い。屋内であっても貯水層１上に人が立ち入る場合、水深が深く大きな水圧がかかる場合、また、紫外線に晒される屋外等の過酷な条件下で使用する場合は、繊維補強樹脂（ＦＲＰ）や繊維補強セメント（ＦＲＣ）などの丈夫な素材を使用するのが好ましく、厚い程安全に使用できるが、製品重量やコストを考慮すると２０ｍｍ以下が好ましい。
【００１６】
また、発泡材層５を構成する発泡材とは、ポリスチレン、ウレタン、炭酸カルシウム等を発泡させたものを指し、比重1以下の軽量なものであれば特に材質は問わない。発泡材の上面が防水層４の下面の形状に沿った形状を成し、互いに密着する状態であれば、防水層４とは接着されていても、されていなくても良い。発泡材層５の厚みについては、例えば基盤６のつなぎ目の段差７や散乱している小石８等の凸部が存在する場合に、これらの凸部を吸収し安定した設置を行うには最低１０ｍｍの厚みが必要であり、更に、図２に示すように貯水槽１を連結し、高低差のある水辺（滝）を表現する場合は１０００ｍｍ程の厚みが必要となる場合もあるので厚みに上限はない。
【００１７】
立ち上がり部２（縁）の高さは水を貯水するために最低５０ｍｍ必要であるが、あまり高くすると過剰に貯水することになり、人工基盤６の耐荷重オーバーや、大きな水圧により立ち上がり部２が崩壊につながる危険性がある。これを防止するために、本発明による貯水槽１の縁の高さは３００ｍｍを上限とすることが好ましい。
【００１８】
図３は本発明に係る貯水槽の他の例の構成を示す図である。図３に示す例は、底面部３に段差１１を有する貯水槽１の断面図であり、川の流れを表現する時などに利用するものである。このような川の底には水生植物の入ったポットなどを設置して楽しむのが一般的だが、流れを作るために川底を斜めに設計してしまうとこれらが低い方に流されてしまうという不都合がある。川底を平らに設計してポンプの吸引力のみで流れを得る方法もあるが、ある程度距離のある川を表現しようとするとポンプへの負担が大きく効率の良い流れを作るのは難しい。しかし図３に示すような段差１１のある底面を作れば、川底に設置したポット類は動きにくく、水も自然に段差の低い方へと流れるため効率の良い流れを作ることができる。
【００１９】
図３に示す例では、防水層４の表面に無機質系粒１２を固着させることにより、一層自然な水辺を表現することができ、防水層４を紫外線から保護する効果もある。更に粒１２の隙間に生息するバクテリアにより水質浄化を促す効果も発揮することができる。特にポーラス構造の浄化材や濾過材などの粒１２を固着させると、水との接触面積を最大限に広げられ、その表面を水が流れることにより自動的に水が濾過されるため、極めて効率の良い使用方法となる。
【００２０】
また、図３に示す例において、擬石１３は、中空又はドーム状構造の擬石１３である。内部を空にし、表面に石の模様を施してあるため、水中の美観を損ねることなく水中ポンプ１４、調水器１５、濾過材１６等を擬石１３の内部に格納することができ、更に貯水槽１の縁に被せることにより自然と同様な水辺の縁を表現することができる。また、縁のように人が乗ったりする可能性がある場所で使用するなど擬石１３を強化する必要がある場合は、擬石１３の内部に発泡材１７を充填することにより軽量性を損なうことなく擬石１３を強化することができる。なお、擬石１３内に収納された水中ポンプ１４で吸い上げた水は送水管１８を介して貯水槽１に戻し、水が循環する構成としている。また、擬石１３内に収納された調水器１５は給水口１９から供給される水により貯水量を調整する。
【００２１】
さらに、図３に示す例において、擬石２０はその下部の擬石１３と擬石組を構成し、滝石２１を構成している。このように貯水槽１から送水管１８等で引き込んだ水源を、擬石組の上部又は中伏から滝として流出させ、貯水槽１に流れ落とすことにより水が攪拌され、自動的に水中の溶存酸素濃度を高め良好な水質を保つ効果を得ることができる。滝の水源となる流水口の位置は高い方が効果的だが、貯水槽１とのバランスや美観性を考慮すると３００ｍｍから５００ｍｍ程度が良く、効率良く水を攪拌するには最低でも１００ｍｍ程度の高さから流れ落とすことが好ましい。
【００２２】
図３に示すように、滝石２１および擬石１３を貯水槽１にセットすることにより、滝石２１から流れ落ちた水が水中を攪拌して好気性を保ち、貯水槽１の底面の固着した石粒に繁殖するバクテリアにより有機物が分解され、更に擬石１３に格納される濾過材１６により濾過された水を水中ポンプ１４で滝石２１に循環させるという、効率の良い水質維持システムが成立する。
【００２３】
図４は本発明に係る貯水槽のさらに他の例の構成を示す図である。図４に示す例は、水循環システムの断面図であり、湧池を表現する時などに利用する。図４に示す例において、貯水槽１は窪み形状の底面部３を有しており、その窪み中心部から上に向かって流出した水が、窪みに蓄積する石や濾過材等の粒３１を通過して水中ポンプ３２に吸引され、送水管３３を介して窪み中心部から流出するという水質維持システムである。
【産業上の利用可能性】
【００２４】
本発明の貯水槽、擬石、滝石、水質維持システムは、屋上庭園、バルコニーの緑化、室内緑化、学校緑化、中庭、坪庭、露天風呂等を簡易に造作することのできるビオトープユニットとして好適に用いることができる。
【図面の簡単な説明】
【００２５】
【図１】本発明に係る貯水槽の一例の構成を示す図である。
【図２】本発明に係る貯水槽の他の例の構成を示す図である。
【図３】本発明に係る貯水槽のさらに他の例の構成を示す図である。
【図４】本発明に係る貯水槽のさらに他の例の構成を示す図である。
【図５】従来の貯水槽の一例の構成を示す図である。
【図６】従来の貯水槽の他の例の構成を示す図である。
【符号の説明】
【００２６】
１  貯水槽
２  立ち上がり縁部
３  底面部
４  防水層
５  泡材層
６  人工基盤
７  段差
８  小石
１１  段差
１２  無機質系粒
１３、２０  擬石
１４、３２ポンプ
１５  調水器
１６  濾過材
１７  発泡材
１８、３３  送水管
１９  給水口
２１  滝石
２２、３１  粒
【図１】
2007002600.tif 000003
【図２】
2007002600.tif 000004
【図３】
2007002600.tif 000005
【図４】
2007002600.tif 000006
【図５】
2007002600.tif 000007
【図６】
2007002600.tif 000008